(57)【要約】      （修正有）【課題】暦としての機能に加えて立体的な部屋の飾りとしての機能を付与し、カレンダーとしての商品価値を一段と高める花瓶付カレンダーを提供する。【解決手段】壁掛け式カレンダー１における重ねたカレンダー紙葉２，２，２・・・の適宜の部位に所要の大きさの切欠部３を設ける。重ねたカレンダー紙葉２，２，２・・・の裏側に重ねて配設した厚紙からなる台紙４に花瓶５を接着剤により接着して保持し、該花瓶５を前記切欠部３からカレンダーの前面に露出せしめる。【選択図】図１
0003163078.tif 000002
【実用新案登録請求の範囲】
【請求項１】
カレンダーにおける重ねたカレンダー紙葉の適宜の部位に所要の大きさの切欠部を設けると共に、重ねたカレンダー紙葉の裏側において適宜の手段をもって花瓶を保持し、該花瓶を前記切欠部からカレンダーの前面に露出せしめてなる花瓶付きカレンダー。
【請求項２】
カレンダーが、壁掛け式カレンダー又は卓上カレンダーのいずれかである請求項１記載の花瓶付きカレンダー。
【請求項３】
花瓶が、樹脂からなる扁平に変形可能な花瓶である請求項１又は２記載の花瓶付きカレンダー。
【考案の詳細な説明】
【技術分野】
【０００１】  本考案は花瓶付きカレンダーに関するものである。
【背景技術】
【０００２】  カレンダーには壁掛け式カレンダーと卓上カレンダーがあるが、従来そのいずれも暦としての機能しか果たしていなかった。また、絵画や写真、模様等は表示してあっても立体的な華やかさがなく、人の心を和ませたり、雰囲気を変える飾りという面においては殆ど機能していなかった。
【考案の概要】
【考案が解決しようとする課題】
【０００３】  本考案は上記の点に鑑みなされたものであって、カレンダーの前面に露出するように花瓶を保持し、これに当該カレンダーに表示された絵画や写真、模様等にマッチした、或いは部屋の雰囲気やそのときの気分にマッチした適宜の草花を挿していけることができるようになし、もって本来の暦としての機能に加えて立体的な部屋の飾りとしての機能を付与し、カレンダーとしての商品価値を一段と高めることができるようになした花瓶付きカレンダーを提供しようとするものである。
【課題を解決するための手段】
【０００４】  而して、本考案の要旨とするところは、カレンダーにおける重ねたカレンダー紙葉の適宜の部位に所要の大きさの切欠部を設けると共に、重ねたカレンダー紙葉の裏側において適宜の手段をもって花瓶を保持し、該花瓶を前記切欠部からカレンダーの前面に露出せしめてなる花瓶付きカレンダーにある。【０００５】  また、上記構成において、カレンダーは壁掛け式カレンダーでもよく、また卓上カレンダーでもよい。【０００６】  また、上記構成において、花瓶は、樹脂からなる扁平に変形可能な花瓶であることが好ましい。
【考案の効果】
【０００７】  本考案は上記の如き構成であり、カレンダーの前面に露出するように花瓶を保持してなるものであるから、これに当該カレンダーに表示された絵画や写真、模様等にマッチした、或いは部屋の雰囲気やそのときの気分にマッチした適宜の草花を挿していけることができるものである。したがって、従来平面的で華やかさがなかったカレンダーに、人の心を和ませたり、雰囲気を変える立体的な部屋の飾りとしての機能を付与することができるものである。また、これによってカレンダーとしての商品価値を一段と高めることができるものである。【０００８】  また、花瓶として、樹脂からなる扁平に変形可能な花瓶であれば、カレンダーを製作した後、保管や配送するときにおいて花瓶を扁平にした状態にしておくことができる。そして、このようにすれば嵩張らず、便利である。そしてまた、カレンダーの使用者が実際にに使用する際には、水を注げば水圧で膨らみ、花瓶として復元する。
【図面の簡単な説明】
【０００９】
【図１】本考案の第１実施形態に係る花瓶付きカレンダーの使用状態における斜視図である。
【図２】同花を省略して示した部分拡大図である。
【図３】同部分拡大横断面図である。
【図４】本考案の第２実施形態に係る花瓶付きカレンダーの使用状態における斜視図である。
【図５】同花を省略して示した部分拡大図である。
【考案を実施するための形態】
【００１０】    以下、本考案を実施するための形態について、図面を参照して説明する。
【００１１】  図１乃至図３は本考案の第１実施形態に係る花瓶付きカレンダーを示すものであり、該花瓶付きカレンダーは壁掛け式カレンダーである。
【００１２】  また、該壁掛け式カレンダー１は、重ねたカレンダー紙葉２，２，２・・・の適宜の部位（本実施形態においては左側辺側の下端近傍部）に所要の大きさの切欠部３を設けると共に、重ねたカレンダー紙葉２，２，２・・・の裏側に重ねて配設した厚紙からなる台紙４に花瓶５を接着剤により接着６して保持し、該花瓶５を前記切欠部３からカレンダーの前面に露出せしめてなるものである。
【００１３】  また、前記花瓶５は、樹脂からなる扁平に変形可能な花瓶であり、カレンダーの不使用時には、図３で示す如く、扁平にした状態としておくものである。
【００１４】  また、本実施形態においては、重ねたカレンダー紙葉２，２，２・・・の裏側に台紙４を重ねて配設し、該台紙４に花瓶５を保持した場合を示したが、重ねたカレンダー紙葉２，２，２・・・における一番裏側に位置する紙葉２を台紙４の代用にしてもよい。
【００１５】  また、本実施形態においては、台紙４に花瓶５を接着剤により接着６して保持した場合を示したが、接着剤に代えて両面粘着テープを用いてもよく、また面ファスナーその他の公知の適宜の手段をもって保持するようにすればよい。
【００１６】  本実施形態は、上記の如く、壁掛け式カレンダー１の前面に露出するように花瓶５を保持してなるものであるから、これに当該カレンダーに表示された絵画Ｐや写真、模様（図示せず。）等にマッチした適宜の草花Ｆを挿していけることができるものである。また、この他花瓶５に挿していける草花Ｆについては、部屋の雰囲気やそのときの気分にマッチしたものを適宜に選択するようにしてもよい。
【００１７】  このように、従来平面的で華やかさがなかったカレンダーに、人の心を和ませたり、雰囲気を変える立体的な部屋の飾りとしての機能を付与することができるものである。また、これによってカレンダーとしての商品価値を一段と高めることができるものである。
【００１８】  次に、図４及び図５に示した本考案の第２実施形態について説明する。
【００１９】  本実施形態に係る花瓶付きカレンダーは卓上カレンダーである。
【００２０】  該卓上カレンダー７は、厚紙を側断面三角形状に組み立てたスタンド部８の前面にカレンダー紙葉９，９，９・・・の束を重ね、これらスタンド部８とカレンダー紙葉９，９，９・・・の夫々の頂部に列設した綴じ穴１０，１０，１０・・・に、樹脂製環状綴じ具１１，１１，１１・・・を嵌め、もってスタンド部８の前面に手めくり可能にカレンダー紙葉９，９，９・・・を取り付けてなるものである。
【００２１】  そして、該卓上カレンダー７は、重ねたカレンダー紙葉９，９，９・・・の適宜の部位（本実施形態においては左側辺側の下端部）に所要の大きさの切欠部１２を設けると共に、スタンド部８の前面部分に花瓶１３を接着剤により接着して保持し、該花瓶１３を前記切欠部１２からカレンダーの前面に露出せしめてなるものである。
【００２２】  尚、卓上カレンダー７としては、上記構成のものに限られるものではない。また、本実施形態においては、スタンド部８の前面部分に花瓶１３を保持した場合を示したが、重ねたカレンダー紙葉９．９．９・・・における一番裏側に位置する紙葉９によって保持するようにしてもよい。また、花瓶１３としては、前記第１実施形態において用いたものと同様のものを用いている。
【００２３】  而して、本実施形態においても前記第１実施形態と同様の効果を奏することができるものである。
【符号の説明】
【００２４】１  壁掛け式カレンダー
２，２，２  カレンダー紙葉
３  切欠部
４  台紙
５  花瓶
６  接着部分
７  卓上カレンダー
８  スタンド部
９，９，９  カレンダー紙葉
１２  切欠部
１３  花瓶
【図１】
0003163078.tif 000003
【図２】
0003163078.tif 000004
【図３】
0003163078.tif 000005
【図４】
0003163078.tif 000006
【図５】
0003163078.tif 000007